(57)【特許請求の範囲】
【請求項１】
プラスチック製のフェンス本体(１)と、隣り合うフェンス本体(１)(１)同士を連結するための連結アーム(２)(２)とから成るバリケード構築用フェンスであって、
前記フェンス本体(１)の左右側枠の上下少なくとも一方の部位に、縦方向のガイドレール(11)(11)が設けられると共に、前記連結アーム(２)の一端にはランナー部(21)が設けられて、このランナー部(21)を前記ガイドレール(11)に取着した状態で、フェンス本体(１)の側枠に連結アーム(２)(２)…が上下方向にスライド自在に装着される一方、
前記連結アーム(２)(２)…の中間部位には、スタンド(Ｓ)のクランプ(Ｃ)が装着される棒状部(22)(22)が形成されると共に、フェンス本体(１)の左右対称位置に取着される連結アーム(２)(２)の外側端部に、凹凸部を上下に嵌合させてヒンジ連結可能な一対の蝶番コマ部(23)(23)が設けられていることを特徴とするバリケード構築用フェンス。
【請求項２】
フェンス本体(１)の左右側枠の上下部位対向位置にガイドレール(11)(11)…が設けられて、これらのガイドレール(11)(11)…全てに連結アーム(２)(２)…が装着されていることを特徴とする請求項１記載のバリケード構築用フェンス。
【請求項３】
フェンス本体(１)のガイドレール(11)が縦棒状に形成されると共に、連結アーム(２)のランナー部(21)には前記縦棒状のガイドレール(11)を挿通可能な大きさの縦孔が形成されていることを特徴とする請求項１または２に記載のバリケード構築用フェンス。
【請求項４】
連結アーム(２)が、縦方向に分割された分轄パーツから構成されると共に、これらの分轄パーツを、縦棒状のガイドレール(11)を挟み込んだ状態で嵌合またはネジ留めすることによって連結アーム(２)がフェンス本体(１)に装着されていることを特徴とする請求項３記載のバリケード構築用フェンス。
【請求項５】
フェンス本体(１)の下枠に所定大きさの欠込部(12)が設けられると共に、この欠込部(12)の上側に縦軸部(13)が形成されて、この縦軸部(13)にフェンス本体(１)と同等の厚みを有する板状の回転支持脚(14)が、縦軸部(13)を枢軸として横方向に回転自在に枢着されていることを特徴とする請求項１〜４の何れか一つに記載のバリケード構築用フェンス。
【発明の詳細な説明】
【技術分野】
【０００１】
本発明は、バリケードの改良、詳しくは、安全なフェンス型バリケードを、単管バリケード用スタンドを用いて簡単に構築することができ、またクランプ位置の異なる多様なスタンドに対応可能で、しかも、フェンスの連結角度の調節やフェンスの部分開閉、部分撤去も容易に行えるバリケード構築用フェンスに関するものである。
【背景技術】
【０００２】
周知のとおり、道路工事を行う際には、工事現場に人や車両が近づかないように侵入防止用のバリケードを設置するのが一般的である。しかし、スタンドの上下に単管パイプを懸架して成る単管バリケードは、上下の単管パイプの間に大きな隙間が生じるため、子供等が上下パイプ間の隙間からバリケード内に侵入する危険があった。
【０００３】
しかも、上記単管バリケードに関しては、アクシデントで通行車両がバリケードに突っ込んだ際に、スタンドから外れた単管パイプが車両のフロントガラスを突き破って、運転者に突き刺さる死亡事故も実際に起きているため、車両侵入時にこのような事故が起きないようにバリケードの構造を工夫する必要があった。
【０００４】
一方、従来においては、上記単管バリケードにフェンス部材を固定する技術も公知となっているが(特許文献１参照)、この技術に関しては、一旦、単管バリケードを構築した後に、フェンス部材を単管パイプに固定金具で取り付ける必要があっため、バリケードの構築作業が２段階となって効率的に設置作業を行うことが難しかった。
【０００５】
他方、従来においては、単管バリケード用スタンドのクランプにフェンス部材を直接装着できるようにしたものも開発されている(特許文献２参照)。またこの技術では、上下のクランプ間隔が異なる多様なスタンドに対応できるように、フェンス取着用パイプにクランプ取着用パイプがスライド自在に接続されたスタンド装着具を使用している。
【０００６】
しかしながら、上記文献２に係るバリケードに関しては、スライド機構によってスタンド装着具の構造が複雑になるだけでなく、複数のフェンス部材を横方向に並べて連結する際、隣接するフェンス部材のスタンド装着具同士を連結するためのパイプ型連結具を使用していたため、バリケードの部品数が多くなる問題があった。
【０００７】
また更に、上記文献２に係るバリケードに関しては、フェンス部材を直線状に配置する分には問題ないものの、バリケードを台形状に形成したい場合などに、パイプ型連結具ではフェンス部材の連結角度を調節することができなかったため、フェンス部材の連結を解除してバリケードの角部を形成する必要があった。
【０００８】
また、上記バリケードに関しては、バリケード完成後に一部のフェンス部材を開閉・撤去する際に、フェンス部材に取着したスタンド装着具をパイプ型連結具から引き抜く必要があったため、バリケード中央部のフェンス部材を開閉・撤去するには、その両側のフェンス部材を全て横方向にズラす必要があった。そのため、一人での開閉・撤去作業が難しかった。
【先行技術文献】
【特許文献】
【０００９】
【特許文献１】特開２００３−２９３３３３号公報
【特許文献２】特開２０１３−１１２９８１号公報
【発明の開示】
【発明が解決しようとする課題】
【００１０】
本発明は、上記の如き問題に鑑みて為されたものであり、その目的とするところは、安全なフェンス型バリケードを、単管バリケード用スタンドを利用して簡単に構築することができ、またクランプ位置の異なる多様なスタンドに対応可能で、更にフェンスの連結角度の調節や部分開閉、部分撤去も容易に行え、しかも、製造面や部品管理の面でも有利なバリケード構築用フェンスを提供することにある。
【課題を解決するための手段】
【００１１】
本発明者が上記課題を解決するために採用した手段を添付図面を参照して説明すれば次のとおりである。
【００１２】
即ち、本発明は、プラスチック製のフェンス本体１と、隣り合うフェンス本体１・１同士を連結するための連結アーム２・２とからバリケード構築用フェンスを構成する一方、
前記フェンス本体１の左右側枠の上下少なくとも一方の部位に、縦方向のガイドレール11・11を設けると共に、前記連結アーム２の一端にはランナー部21を設けて、このランナー部21を前記ガイドレール11に取着した状態で、フェンス本体１の側枠に連結アーム２・２…を上下方向にスライド自在に装着する一方、
前記連結アーム２・２…の中間部位には、バリケード用スタンドＳのクランプＣを装着する棒状部22・22を形成すると共に、フェンス本体１の左右対称位置に取着される連結アーム２・２の外側端部には、凹凸部を上下に嵌合させてヒンジ連結可能な一対の蝶番コマ部23・23を設けて構成した点に特徴がある。
【００１３】
また、上記フェンス本体１のガイドレール11及び連結アーム２に関しては、フェンス本体１の左右側枠の上下部位にガイドレール11・11…を設けて、これらのガイドレール11・11…全てに連結アーム２・２…を装着するのが好ましい。
【００１４】
また更に、上記フェンス本体１のガイドレール11と連結アーム２については、ガイドレール11を縦棒状に形成すると共に、連結アーム２のランナー部21に前記縦棒状のガイドレール11を挿通可能な大きさの縦孔を形成して構成することができる。
【００１５】
そしてまた、上記連結アーム２については、縦方向に分割された分轄パーツから構成すると共に、これらの分轄パーツを、縦棒状のガイドレール11を挟み込んだ状態で嵌合またはネジ留めすることによって連結アーム２をフェンス本体１に装着することができる。
【００１６】
他方また、上記フェンス本体１については、下枠に所定大きさの欠込部12を設けると共に、この欠込部12の上側に縦軸部13を形成して、この縦軸部13にフェンス本体１と同等の厚みを有する板状の回転支持脚14を、縦軸部13を枢軸として横方向に回転自在に枢着することによって、バリケード用スタンドなしで使用することも可能となる。
【発明の効果】
【００１７】
本発明では、フェンス部材の左右両側に連結アームを取着すると共に、この連結アームの中間部に、単管パイプ用スタンドのクランプに装着可能な棒状部を形成し、更に連結アームの端部に蝶番コマ部を形成して、隣接させたフェンス部材の連結アーム同士を蝶番コマ部によってヒンジ連結可能に構成したことにより、フェンス型バリケードを簡単に構築することが可能となる。
【００１８】
しかも、本発明では、上記フェンス部材の左右両側にガイドレールを設けて、このガイドレールに沿って連結アームを上下にスライド自在に構成しているため、上下のクランプ間隔が異なるスタンドを使用する場合でも、上下の連結アームの間隔を調節して簡単にクランプに装着することができる。
【００１９】
また本発明では、上記連結アーム同士を蝶番コマ部の凹凸部を上下に嵌合させて連結しているため、一方のフェンス部材の端部を持ち上げるだけで、連結アームの連結状態を簡単に解除できる。そのため、多数のフェンス部材が連結されたバリケードにおいても、中央の一部のフェンス部材のみを一人で開閉または撤去することができる。
【００２０】
また更に、本発明では、上記フェンス部材のガイドレールおよび連結アームの蝶番コマ部によって、連結アームの構造を簡素化できるだけでなく、連結具も省略できるため、製造面や部品管理の面でも改善を図れる。また本発明では、プラスチック製のフェンス部材を使用しているため、もし車両がバリケードに突っ込んだ場合でもガラスを突き破るような事故の心配もない。
【００２１】
したがって、本発明により、歩行者や車両の工事現場内への侵入を防止できるだけでなく、多様なスタンドを利用して設置作業を効率的に行うことができ、しかも、バリケードの一部開閉や撤去も簡単に行える使い勝手に優れたバリケード構築用フェンスを提供できることから、本発明の実用的利用価値は頗る高い。
【図面の簡単な説明】
【００２２】
【図１】本発明の実施例１におけるバリケード構築用フェンスを表わす全体正面図である。
【図２】本発明の実施例１における一対の連結アームの形状を表わす斜視図である。
【図３】本発明の実施例１における一対の連結アームの形状を表わす斜視図である。
【図４】本発明の実施例１におけるバリケード構築用フェンスの使用状態を表わす説明図である。
【図５】本発明の実施例１におけるバリケード構築用フェンスの使用状態を表わす説明図である。
【図６】本発明の実施例２におけるバリケード構築用フェンスを表わす上面図および正面図である。
【図７】本発明の実施例２におけるフェンス本体の回転支持脚の構造を表わす分解斜視図である。
【図８】本発明の実施例２におけるフェンス本体の回転支持脚の使用状態を表わす拡大斜視図である。
【図９】本発明の実施例２におけるバリケード構築用フェンスの使用状態を表わす説明図である。
【発明を実施するための形態】
【００２３】
『実施例１』
本発明の実施例１について、図１から図５に基いて説明する。同図において、符号１で指示するものは、フェンス本体であり、符号２で指示するものは、隣り合うフェンス本体同士を連結するための連結アームである。
【００２４】
［バリケード構築用フェンスの構成］
まず実施例１では、バリケード構築用フェンスを、プラスチック製のフェンス本体１と、このフェンス本体１の左右側枠に装着されたプラスチック製の連結アーム２・２…とから構成している(図１参照)。なお本実施例では、フェンス本体１をブロー成形によって中空形状としているが、場合によっては射出成形等により中実形状とすることもできる。
【００２５】
また、上記フェンス本体１と連結アーム２については、フェンス本体１の左右側枠に縦方向のガイドレール11・11…を設けると共に、連結アーム２の一端にランナー部21を設けて、このランナー部21をガイドレール11に取着している。これにより、フェンス本体１の側枠に装着した連結アーム２・２…を上下にスライドさせることができる。
【００２６】
また本実施例では、上記フェンス本体１のガイドレール11を縦棒状に形成すると共に、連結アーム２のランナー部21に、図２に示すようにガイドレール11を挿通可能な大きさの縦孔Ｈを形成しており、ランナー部21の縦孔Ｈにガイドレール11を挿通して連結アーム２をフェンス本体１に装着している。
【００２７】
また更に、本実施例においては、上記連結アーム２を、縦方向に分割された分轄パーツから構成している。そして、これらの分轄パーツを、縦棒状のガイドレール11を挟み込んだ状態でネジ留めすることによって連結アーム２をフェンス本体１のガイドレール11に装着できるようにしている。
【００２８】
そしてまた、上記連結アーム２のランナー部21については、形状を平面視で矩形状として、フェンス本体１のガイドレール11に装着した状態で連結アーム２が空回りしないようにしている。なお、連結アーム２の空回りを防止する手段として、縦棒状のガイドレール11およびランナー部21の縦孔Ｈの断面形状を角形にする等の方法も採用できる。
【００２９】
また本実施例では、上記フェンス本体１の側枠に取着した上下の連結アーム２・２の間隔を大きく調節できるように、フェンス本体１の左右側枠の上下部位にそれぞれガイドレール11・11…を設けている。そして、これらのガイドレール11・11…全てに連結アーム２・２…を装着して構成している。
【００３０】
一方、上記連結アーム２に関しては、図２(a)及び(b)に示すように、連結アーム２の中間部位に、単管バリケードに使用される単管パイプと同等の太さを有する棒状部22・22を形成している。また、フェンス本体１の左右対称位置に取着する連結アーム２・２の外側端部には、上下に嵌合可能な凸部23a及び凹部23bを有する一対の蝶番コマ部23・23を設けている。
【００３１】
［バリケード構築用フェンスの使用方法］
次に、上記バリケード構築用フェンスの使用方法について、以下に説明する。まず、図３に示すように、フェンス本体１に装着された上下の連結アーム２・２の棒状部22・22にバリケード用スタンドＳのクランプＣ・Ｃをそれぞれ装着する。これにより、フェンス本体１を立てた状態で固定することができる。
【００３２】
そして次に、上記立設したフェンス本体１の隣りに他のフェンス本体１を配置し、フェンス本体１・１同士の連結アーム２・２を、蝶番コマ部23・23の凸部23aと凹部23bを上下に嵌合させてヒンジ連結する。これを横方向に順次繰り返すことによって、侵入防止用のバリケードＢを効率的に構築することができる。
【００３３】
なお、上記バリケードＢの構築時において、各フェンス本体１・１の両側に配置するスタンドＳ・Ｓ…は、ヒンジ連結された連結アーム２・２の内、蝶番コマ部23が下側にくる一方の連結アーム２に装着されていればよいため、使用するスタンドＳの数を最低限に抑えることができる。
【００３４】
また、上記バリケードＢの構築時にフェンス本体２・２同士の連結角度を180度以外の任意の角度に変更したい場合、或いは、バリケードＢの構築後に一部のフェンス本体１を開閉したい場合には、一方のフェンス本体１を持ち上げて、連結アーム２・２のヒンジ連結部を支点として回動させることによって簡単に連結角度を調節することができる。
【００３５】
また特に、フェンス本体１の左右一方の連結アーム２・２にのみスタンドＳが装着されている場合には、スタンドＳが装着されている側の端部を持ち上げて簡単にフェンス本体１を回動させることができるため、一人でも上記連結角度の調節作業やフェンスの開閉作業を行うことができる。
【００３６】
しかも、上記バリケードＢ構築後において、バリケードＢの一部を開閉したり、フェンスの一部を撤去したりする場合には、移動対象となるフェンス本体１の端部を持ち上げるだけで(或いは隣接するフェンス本体１を持ち上げるだけで)、簡単に連結アーム２・２の連結を解除できるため、一人でも問題なく作業を行える。
【００３７】
ちなみに、本実施例のようにフェンス本体１をプラスチック材料のブロー成形によって作製する場合には、フェンス本体１自体の重量が軽くなって倒れやすくなるため、図４に示すように、水を封入した容器を重石Ｗ・Ｗとしてフェンス本体１の下部に装着することにより、フェンス本体１を倒れ難くすることができる。
【００３８】
『実施例２』
次に本発明の実施例２について、図６から図９に基いて説明する。この実施例２では、図６及び図７に示すように、フェンス本体１の下枠に所定大きさの欠込部12・12を設けると共に、この欠込部12の上側に縦軸部13・13を形成して、この縦軸部13・13にフェンス本体１と同等の厚みを有する板状の回転支持脚14を、縦軸部13を枢軸として横方向に回転自在に枢着して構成している。
【００３９】
なお本実施例では、上記フェンス本体１の回転支持脚14を縦方向に分轄した分轄パーツ14a・14aから構成して、これらの分轄パーツ14a・14aを、縦軸部13・13を挟み込むように連結して回転支持脚14を縦軸部13・13に装着している。勿論、他の方法によって回転支持脚14を縦軸13・13に枢着することも可能である。
【００４０】
そして、上記のように構成したことにより、図８(a)及び図９(a)に示すように、回転支持脚14をフェンス本体１と平行な状態にして、連結アーム２・２にスタンドＳを装着して使用できるだけでなく、図８(b)及び図９(b)に示すように、回転支持脚14を90度回転させてフェンス本体１に垂直な状態として、フェンス本体１を自立させてスタンドなしで使用することもできる。
【００４１】
本発明は、概ね上記のように構成されるが、本発明は図示の実施形態に限定されるものでは決してなく、「特許請求の範囲」の記載内において種々の変更が可能であって、例えば、フェンス本体１のガイドレール11と連結アーム２のランナー部21の形状については、一般的な他のスライド機構を採用することもできる。
【００４２】
また、上記上記フェンス本体１のガイドレール11については、左右側枠に対して少なくとも上下一方に設けられていればよく(例えば、左右側枠の上側のみにガイドレール11を設けて、下側には連結アームを固定した状態で装着する等)、側枠に形成するガイドレール11の長さによって上下の連結アーム２の間隔調節幅を調整できる。
【００４３】
また、上記連結アーム２に関しても、プラスチック製のものでなく金属製のものを使用してもよく、また連結アーム２を分轄パーツから構成する場合に、分轄パーツの一体化にネジ留め以外の嵌合手段や係止手段、接着手段等を採用することもでき、何れのものも本発明の技術的範囲に属する。
【産業上の利用可能性】
【００４４】
近年、道路工事において、工事現場への歩行者や車両の侵入を防止する対策の要望が高まっている。そのような中で、本発明のバリケード構築用フェンスは、侵入され難い隙間のないバリケードを構築できるだけでなく、安全性および使い勝手に優れた有用な技術であることから、その産業上の利用価値は非常に高い。
【符号の説明】
【００４５】
１  フェンス本体
11  ガイドレール
12  欠込部
13  縦軸部
14  回転支持脚
14a  分轄パーツ
２  連結アーム
21  ランナー部
22  棒状部
23  蝶番コマ部
23a  凸部
23b  凹部
23  棒状部
Ｓ  スタンド
Ｃ  クランプ
Ｂ  バリケード
Ｈ  縦孔
Ｗ  重石
【図１】
0006345996.tif 000002
【図２】
0006345996.tif 000003
【図３】
0006345996.tif 000004
【図４】
0006345996.tif 000005
【図５】
0006345996.tif 000006
【図６】
0006345996.tif 000007
【図７】
0006345996.tif 000008
【図８】
0006345996.tif 000009
【図９】
0006345996.tif 000010